(57)【要約】【課題】  調理された揚げ物食品を販売時の包装用の紙製容器に収容させた場合に、食品から発生した油分を含んだ蒸気を容器外へ排出できるようにする。【解決手段】  前壁板２と後壁板３、左側壁板４、右側壁板５、底板９とを有する紙製容器１の側壁板４、５に折曲線２ａ、２ｂ、３ａ、３ｂを径方向とする円弧状の切れ目２４ａ、２５ａ、３４ａ、３５ａを形成して舌片２４、２５、３４、３５を形成する。圧潰された状態から容器状に製箱された紙製容器１には、舌片２４、２５、３４、３５が側壁板４、５から起立して開口１ａ、１ｂが形成される。収容された揚げ物食品から発生した蒸気はこれら開口１ａ、１ｂから排出される。【選択図】        図１
2019151367.tif 000002
【特許請求の範囲】
【請求項１】
打ち抜かれて形成された１枚の厚紙による平面状の素材から製箱される、筒状の胴部と該胴部の下端に連続した底部とを備えている紙製容器において、
前記胴部を前壁板と後壁板と左右の側壁板とを折曲可能な側辺部を介して連続させて形成し、
前記胴部を形成する４枚の壁板のいずれかまたは全てに切れ目を形成して舌片を形成し、
前記舌片を壁板から起立させて前記胴部の内外を連通させる開口を形成することを特徴とする紙製容器。
【請求項２】
前記前壁板の側に円弧状に膨出させた該前壁板の下辺に連続させた前側フラップの一部と、前記後壁板の側に円弧状に膨出させた該後壁板の下辺に連続させた後側フラップの一部とを貼着して、前記底部を形成する底板が形成されていることを特徴とする請求項１に記載の紙製容器。
【請求項３】
前記左右の側壁板の前後方向の中央部に鉛直線に沿って形成した側部折曲線でそれぞれの側壁板を折曲可能とし、
前記底板の前後方向の中央部で水平線に沿って形成した底部折曲線で該底板を折曲可能とし、
前記側部折曲線と前記底部折曲線とで折曲することによって前記前壁板と後壁板とが重畳して折り畳まれた状態に圧潰されることを特徴とする請求項１または請求項２に記載の紙製容器。
【請求項４】
前記舌片は前記側辺部に基端部を配して、前記前壁板と側壁板とのいずれか一方または両方と、前記後壁板と側壁板とのいずれか一方または両方とに円弧状の切れ目を設けて形成されていることを特徴とする請求項１から請求項３までのいずれかに記載の紙製容器。
【発明の詳細な説明】
【技術分野】
【０００１】
本発明は紙製容器に関する。
【背景技術】
【０００２】
コンビニエンスストアやファーストフード店等でフライドポテト等の揚げ物食品が客に提供される際、その揚げ物食品は、紙製容器によって包装されて提供される。また、店内や近場の公園等でその揚げ物食品を飲食する際には、利便性のため、コップ状をした簡易な紙製容器が包装容器として用いられることが多い。紙製容器は保温性が良好であり、またゴミとして処理する場合も簡便であり、飲食される店舗では回収してリサイクルに供することもできるので、広く普及している。
【０００３】
予め揚げ物食品が収容された前記紙製容器を保温ケースに保存し、注文を受けるとその紙製容器ごと保温ケースから取り出して客に提供する場合がある。このような場合に、保温ケースに保存されている紙製容器が不用意に転倒しないことが要求される。また、前記紙製容器を保温ケースに保存する際に、調理された揚げ物食品をその場で簡単に紙製容器に収容できることが要求される。
【０００４】
また、揚げ物食品は、調理したての温かさを保った状態で提供されることが好ましく、調理された揚げ物食品をその場で紙製容器に収容させて提供することが行われる。このような場合には、揚げ物食品の表面からは油分が流れ出たり、油分を含んだ蒸気が発生する。この油分や蒸気が揚げ物食品に付着してしまうとこれらの揚げ物食品の食感が損なわれるおそれがある。
【０００５】
この種の紙製容器であって食品を収容した状態で転倒することがないようにした自立性紙容器が提案されている（特許文献１参照。）。また、収容される食品から発生する油が底部に設けられた窪みに流入するようにして、油ぎれを促進させて油分が食品に再度付着することのないようにした紙製容器が提案されている（特許文献２参照）。
【０００６】
また、電子レンジ加熱で食品を加熱する際に、マイクロ波照射時に食品から発生する蒸気が内部にこもらないようにした電子レンジ加熱調理用包装容器が提案されている（特許文献３参照）。
【先行技術文献】
【特許文献】
【０００７】
【特許文献１】特開２０１２−２１８７７５号公報
【特許文献２】特開２００９−１２０２１３号公報
【特許文献３】特開２００８−１２７０４３号公報
【発明の概要】
【発明が解決しようとする課題】
【０００８】
特許文献１に開示された自立性紙容器と特許文献２に開示された紙製容器のそれぞれは、これら紙容器等に収容された揚げ物食品から発生する油分を含んだ蒸気が、揚げ物食品の収容と取り出しのための上部の開口から外部に排出されるものであるので、十分に排出されないおそれがある。また、これらの紙容器等では、底部を密封して蒸気が凝縮して生じた油を溜める部分が底部に形成されるため、その底部に滞留した油から発生する蒸気が揚げ物食品に付着してしまうおそれもある。
【０００９】
また、この種の食品用の紙製容器の保管スペースが大きくならないように、調理された食品を収容する際には簡便に使用可能な状態にできることが好ましい。特許文献１と特許文献２とのそれぞれに開示された紙容器等は、予め組み立てられた状態で供給されるものであり、未使用の空容器は、上側の空容器を順次内部に収容しながら積み重ねて、いわゆるスタックさせた状態で保管させることになる。そのため、特許文献１と特許文献２とのそれぞれに開示された紙製容器を使用する際には、上側の紙容器等を取り出して食品を収容することになる。しかしながら、スタックされた状態であっても、積み重ねられた場合に最上部に積まれた紙容器を容易に取り出すためには、調理人等の手が届く高さまでが積み重ねられる実質的な高さの限界であり、場合によっては複数のスペースにスタックして紙製容器を保管することになると、それらの紙製容器を保管するためのスペースを余計に確保しなければならず、好ましくない。
【００１０】
また、特許文献３に開示された電子レンジ加熱調理用包装容器は、加熱調理時に食品から生じる蒸気が容器内にこもらないように容器外に蒸気を逃がすことができるようにするため、発生した蒸気による容器内の内圧上昇により舌が跳ね起きして蒸気抜きの開口が形成されるものである。
【００１１】
この特許文献３に開示された電子レンジ加熱調理用包装容器では、前記舌の跳ね起きは内部の圧力が上昇することにより動作するものであり、容器の内部が密封されている必要がある。しかしながら、コンビニエンスストア等で提供される揚げ物食品のための簡易な紙製容器を密封することは、煩雑な作業を要することになって簡便さが損なわれるおそれがある。また、食品を収容した状態で加熱するものでもないため内圧の上昇は生ぜず、特許文献３の電子レンジ加熱調理用包装容器に採用された構造を、揚げ物食品を客に提供する際に使用される簡易な紙製容器に用いることはできない。
【００１２】
そこで、この発明は、収容した揚げ物食品から発生する油分を含んだ蒸気を極力外部に排出するようにした紙製容器を提供することを目的としている。
【課題を解決するための手段】
【００１３】
前記目的を達成するための技術的手段として、この発明に係る紙製容器は、打ち抜かれて形成された１枚の厚紙による平面状の素材から製箱される、筒状の胴部と該胴部の下端に連続した底部とを備えている紙製容器において、胴部を前壁板と後壁板と左右の側壁板とを折曲可能な側辺部を介して連続させて形成し、胴部を形成する４枚の壁板のいずれかまたは全てに切れ目を形成して舌片を形成し、舌片を壁板から起立させて胴部の内外を連通させる開口を形成することを特徴としている。
【００１４】
また、この発明に係る紙製容器は、前壁板の側に円弧状に膨出させた該前壁板の下辺に連続させた前側フラップの一部と、後壁板の側に円弧状に膨出させた該後壁板の下辺に連続させた後側フラップの一部とを貼着して、底部を形成する底板が形成されていることを特徴としている。
【００１５】
また、この発明に係る紙製容器は、左右の側壁板の前後方向の中央部に鉛直線に沿って形成した側部折曲線でそれぞれの側壁板を折曲可能とし、底板の前後方向の中央部で水平線に沿って形成した底部折曲線で該底板を折曲可能とし、側部折曲線と底部折曲線とで折曲することによって前壁板と後壁板とが重畳して折り畳まれた状態に圧潰されることを特徴としている。
【００１６】
また、この発明に係る紙製容器は、舌片は側辺部に基端部を配して、前壁板と側壁板とのいずれか一方または両方と、後壁板と側壁板とのいずれか一方または両方とに円弧状の切れ目を設けて形成されていることを特徴としている。
【発明の効果】
【００１７】
この発明に係る紙製容器によれば、壁板に形成された前記舌片が起立した際に形成される開口から、収容された揚げ物食品から発生する油分を含んだ蒸気が容器の外部に排出される。このため、この蒸気が揚げ物食品に付着することが抑制され、揚げ物食品の食感を損なうことが防止される。また、蒸気が排出されることにより、蒸気が凝縮して生じる油の量が減じられる。
【図面の簡単な説明】
【００１８】
【図１】この発明に係る紙製容器を説明する斜め上方から示す斜視図である。
【図２】図１に示す紙製容器を説明する斜め下方から示す斜視図である。
【図３】図１に示す紙製容器を製箱するためのブランクシートである。
【図４】図１に示す紙製容器の正面図である。
【図５】図４に示す紙製容器の背面図である。
【図６】図４に示す紙製容器の平面図である。
【図７】図４に示す紙製容器の右側面図である。
【図８】図４に示す紙製容器の左側面図である。
【図９】図４に示す紙製容器の底面図である。
【図１０】図４に示すＡ−Ａ線に沿って切断した縦断面図である。
【図１１】図４に示すＢ−Ｂ線に沿って切断した横断面図である。
【図１２】図４に示すＣ−Ｃ線に沿って切断した横断面図である。
【図１３】図１に係る紙製容器であって保管や搬送のために圧潰された状態の正面を示す図である。
【図１４】図１３に示す圧潰された状態の紙製容器の背面を示す図である。
【発明を実施するための形態】
【００１９】
以下、図示した好ましい一実施形態に基づいて、本発明に係る紙製容器１を具体的に説明する。
【００２０】
図１にはこの発明の一実施形態に係る紙製容器１の上部の開口を臨んだ上方からの斜視図を示してあり、この紙製容器１は上部の開口から収容する揚げ物食品等が出入される。また、図２には底板を臨んだ下方からの斜視図を示してある。また、図３にはこの紙製容器１を製箱するために適した形状のブランクシート１０を示している。図１に示すように、この紙製容器１は、前壁板２と後壁板３、左側壁板４、右側壁板５とからなる４つの壁板により胴部が形成され、前壁板２の下端に接続した前側フラップ６と後壁板３の下端に接続した後側フラップ７とが組み合わされて底部を形成する底板９（図４示）が形成されている。なお、図１において前壁板２の側を前方とし、前壁板２に向かって左方を左側壁板４とする。
【００２１】
図１と図２に示すように、前記前壁板２と前記左側壁板４とは側辺部である折曲線２ａを介して連続し、該前壁板２と前記右側壁板５とは側辺部である折曲線２ｂを介して連続している。前記後壁板３と前記左側壁板４とは側辺部である折曲線３ａを介して連続し、該後壁板と前記後壁板５とは側辺部である折曲線３ｂを介して連続している。
【００２２】
前記前壁板６の下辺には、前記前側フラップ６が折曲線２ｄを介して連続している。また、前記後壁板７の下辺には、図５に示すように、前記後側フラップ７が折曲線３ｄを介して連続している。そして、前記前側フラップ６の先端部が前記後側フラップ７の基端部に貼着されて、図１と図２、図７、図８とに示すように、前側フラップ６が下方が屈曲しているほぼＶ字形に形成されている。また、前記後壁板３の上辺には、前記蓋体フラップ８が折曲線３ｃを介して連続している。
【００２３】
前壁板２の左右の側辺部には左右方向に突出した舌片２４と舌片２５が配され、後壁板３の左右の側辺部には左右方向に突出した舌片３４と舌片３５が配される。これら舌片２４、２５、３４、３５は左右の側壁板４、５の一部で形成されており、図１と図２に示すように、舌片２４、２５、３４、３５が起立した状態では、これら舌片２４、２５、３４、３５の跡の部分に前側開口１ａと後側開口１ｂとが形成される。
【００２４】
次に、図３に示す前記ブランクシート１０を参照して、紙製容器１の詳細な形状を説明する。ブランクシート１０は１枚の厚紙に所望の印刷を施して打ち抜いた平面状の素材であり、このブランクシート１０から紙製容器１を製箱する。製箱の際には適宜な部分に糊等の接着剤を塗布して貼着することになり、図３において、斜線を施した部分で貼着する部分を示している。したがって、ブランクシート１０は紙製容器１の展開図に、貼着するのに必要な部分を付加した形状としてあり、この実施形態では貼着用フラップ１０ａが展開図に付加された形状のブランクシート１０としてある。また、図３に示すブランクシート１０は、製箱された状態の紙製容器１の内側面となる側を示している。また、製箱する際には４つの壁板２、３、４、５と前後のフラップ６、７との間の折曲線２ａ、２ｂ、２ｄ、３ａ、３ｂ、３ｄでの折曲の作業を簡便に行えるようにする加工として、ブランクシート１０を製作する際に折り罫や折り目等を加工することが好ましい。なお、図３において、折曲線を一点鎖線で示してある。
【００２５】
前記ブランクシート１０は、前記胴部を形成する前壁板２と後壁板３、左側壁板４、右側壁板５となる４つの壁板と、前壁板２の下端に接続した前側フラップ６、後壁板３の下端に接続した後側フラップ７、前記貼着用フラップ１０ａとで形成されている。
【００２６】
前壁板２と側壁板４、５は前記折曲線２ａ、２ｂを介して連続しており、これら折曲線２ａ、２ｂを径方向とする円弧状の切れ目２４ａ、２５ａが左右の側壁板４、５に形成され、これら切れ目２４ａ、２５ａと折曲線２ａ、２ｂとで囲まれた部分で前記舌片２４、２５が形成されている。すなわち、これら舌片２４、２５のそれぞれは折曲線２ａと折曲線２ｂとを軸として回動して起立すると、これらが配されていた部分に、図１と図２、図７、図８、図１０とに示すように前側開口１ａが形成された状態となる。
【００２７】
前記後壁板３と側壁板４、５は前記折曲線３ａ、３ｂを介して連続しており、これら折曲線３ａ、３ｂを径方向とする円弧状の切れ目３４ａ、３５ａが左右の側壁板４、５に形成され、これら切れ目３４ａ、３５ａと折曲線３ａ、３ｂとで囲まれた部分で舌片３４、３５が形成されている。すなわち、これら舌片３４、３５のそれぞれは折曲線３ａと折曲線３ｂとを軸として回動して起立すると、これらが配されていた部分に、図１と図２、図７、図８、図１０とに示すように後側開口１ｂが形成された状態となる。
【００２８】
前記前壁板２の上辺２ｃは、該上辺２ｃの中央部を前壁板２側に凹ませた円弧で形成されており、この円弧の両端には前記折曲線２ａ、２ｂが接続されている。これら折曲線２ａ、２ｂは製箱されて使用される状態にある紙製容器１の鉛直方向に沿うように形成されている。前壁板２の下部には中央部を前壁板２の側に凹ませた円弧状の折曲線２ｄを介して前記前側フラップ６が連続させてある。この折曲線２ｄの両端は、それぞれ折曲線２ａ、折曲線２ｂの下端部と接続している。折曲線２ａ、２ｂが鉛直方向に沿っているため、上辺２ｃの端部間の距離と前記折曲線２ｄの端部間の距離は等しくなる。
【００２９】
前記前側フラップ６は、該前側フラップ６の側縁の中央部に掛けて前記折曲線２ｄの両端部よりも外側に膨出しており、中央には底部折曲線６ａが形成され、前側フラップ６はこの底部折曲線６ａで線対称の形状としてある。前記側壁板４、５の下端は前記折曲線２ａ、２ｂのそれぞれと折曲線２ｄとの接続部よりも下方に伸張させてあり、この伸張した部分の前側フラップ６を臨む部分は該前側フラップ６の膨出する形状に沿って切り込まれて、切り込み部６４、６５とされている。
【００３０】
前記後壁板３の上辺には水平線に沿って形成された折曲線３ｃを介して、蓋体フラップ８を連続させてある。後壁部３の上辺は、この折曲線３ｃの端部よりも伸長させてある。この後壁板３の下部には中央部を後壁板３の側に凹ませた円弧状の折曲線３ｄを介して、前記後側フラップ７を連続させてある。この折曲線３ｄの両端は、それぞれ折曲線３ａ、折曲線３ｂの下端部と接続している。また、折曲線３ｄの端部間の長さは、前記折曲線３ｃの端部間の長さよりも大きくしてある。このため、図３に示すように、折曲線３ａと折曲線３ｂとは台形の左右の辺を構成している。
【００３１】
前記後側フラップ７は前記前側フラップ６とほぼ等しい形状に形成されており、該後側フラップ７の中央部には、図３において二点鎖線で示すように、折曲可能線７ａが形成されている。なお、この折曲可能線７ａは他の折曲線のように折り罫や折り目等の加工によって形成されていても構わないが、前記底部折曲線６ａに沿って折曲させることが可能となるようにされていればよい。また、前記側壁板４、５の下端部は折曲線３ａ、３ｂのそれぞれと折曲線３ｄとの接続部よりも下方に伸張させてあり、この伸張した部分の前記後側フラップ７を臨む部分は該後側フラップ７の膨出する形状に沿って切り込まれて、切り込み部７４、７５とされている。また、この後側フラップ７は前側フラップ６とほぼ等しい形状とされているから、後側フラップ７の前記折曲線３ｄの端部間の距離と、前側フラップ６の折曲線２ｄの端部間の距離はほぼ等しくなる。
【００３２】
前記前側フラップ６の図３において斜線を施した下半部は貼着部とされており、製箱する際には、前記底部折曲線６ａで折曲されて、この下半部であって紙製容器１の外側となる面が前記後側フラップ７の上半部の内側となる面と貼着される。
【００３３】
前記蓋体フラップ８は、両側辺の円弧を先端の円弧で連続させた形状に形成されており、前記折曲線３ｃにて折曲することにより、紙製容器１の上方を覆うことができる大きさとされている。また、蓋体フラップ８には、水平方向に２本の折曲線８ａ、８ｂが形成されており、これら折曲線８ａ、８ｂで適宜に折曲することにより紙製容器１に収容された容量や食品の大きさに応じて紙製容器１の上方を覆うことができるようにしてある。
【００３４】
前記側壁板４、５の中央部には折り罫や折り目等で加工された鉛直方向の側部折曲線４ａ、５ａが形成されており、左右の側壁板４、５はこの側部折曲線４ａ、５ａで折曲可能とされている。なお、左側壁板４は図３に示すように、ブランクシート１０では前壁板２の端部と後壁板３の端部とに分割されて前壁側左側壁板４２と後壁側左側壁板４３とされており、前壁側左側壁板４２の端部に前記貼着フラップ１０ａが連続している。そして、前記前壁側左側壁板４２に前記側部折曲線４ａが形成されており、前記貼着フラップ１０ａはこの側部折曲線４ａよりも端部側に設けられている。
【００３５】
そして、図３と紙製容器１の圧潰状態を示す図１３とに示すように、後壁板３の前記折曲線３ｃの長さ、すなわち、側辺部の折曲線３ａ、３ｂの上端間の距離よりも、前壁板２の側辺部の折曲線２ａと折曲線２ｂとの間の距離の方を大きくしてある。また、後壁板３の折曲線３ｃとされた上辺の高さよりも、前壁板２の上辺２ｃの方が低くなるようにしてある。なお、紙製容器１の圧潰状態については後述する。
【００３６】
次に、図３に示すブランクシート１０から紙製容器１を製箱する作業について説明する。図３に示す展開図は、前述の通り、紙製容器１の内側面を示しており、前記貼着フラップ１０ａは図３の斜線を施した表面、すなわち紙製容器１の内側面に接着剤が塗布されて、後壁側左側壁板４３の外側面に貼着される。また、前記前側フラップ６の斜線を施した下半部の外側面に接着剤が塗布され、前記後側フラップ７の上半部の内側面に貼着される。この状態で、前記側部折曲線４ａで左側壁板４が、前記側部折曲線５ａで右側壁板５が、それぞれ折曲され、また、前記前側フラップ６が前記底部折曲線６ａで折曲されると、左側壁板４と右側壁板５とがそれぞれの中央部で折り畳まれ、前側フラップ６の下半部と上半部との内側面同士が接触して、紙製容器１が圧潰された状態となる。この状態で前壁板２と後壁板３とが重畳して、折り畳まれた状態となり、図１３と図１４とに示すように、後側フラップ７の下半部が前記底部折曲線６ａよりも下方に伸張した状態となる。すなわち、圧潰された状態にあるため、未使用の紙製容器１を保管したり搬送したりする場合には、スタックされる紙製容器よりも保管スペースが小さくなり、保管や搬送の際の効率が良好なものとなる。
【００３７】
そして、この紙製容器１に揚げ物食品その他の食品を収容させる場合には、図１３または図１４に示す圧潰された状態で前記外側に配された側部折曲線４ａと側部折曲線５ａとを把持してこれらを接近させる方向に押圧する。これにより、折り畳まれた左側壁板４と右側壁板５とが拡開しながら、前記前壁板２と後壁板３とが離隔すると共に、前側フラップ６の下半部と上半部とが離隔する。このため、前壁板２と左側壁板４、後壁板３、右側壁板５とにより収容部が囲まれる筒状となり、底部折曲線６ａで折曲された前側フラップ６で底板９が形成されて食品等を収容できる紙製容器１に製箱された状態となる。
【００３８】
また、中央部で折り畳まれた前記左側壁板４と右側壁板５とを拡開させると、前記舌片２４、２５、３４、３５が左側壁板４と右側壁板５のそれぞれから前記切れ目２４ａ、２５ａ、切れ目３４ａ、３５ａによって分離されて、左側壁板４と右側壁板５とのそれぞれから起立し、図１と図４、図５、図６、図９、図１１、図１２とに示すように、前壁板２と後壁板３のそれぞれの側辺部から左右方向に突出する。この舌片が起立することにより、前記前側開口１ａと後側開口１ｂとが形成されることになる。
【００３９】
また、後壁板３の上辺の前記折曲線３ｃの端部間の距離よりも前壁板２の側辺部の折曲線２ａと折曲線２ｂとの間の距離を大きくしてあると共に、前壁板２の下辺は前記前側フラップ６と円弧状の折曲線２ｄを介して接続されている。このため、紙製容器１に製箱された状態では、左右の側壁板４、５が押圧されることにより、側部折曲線４ａと側部折曲線５ａとが前記折曲線３ｃの長さの距離近くまで接近し、これに伴われて折曲線２ａと折曲線２ｂも接近することになる。また、製箱されると前側フラップ６が拡開し、前側フラップ６の底部折曲線６ａが上方に引き上げられ、これに伴われて折曲線２ｄが斜め前方に湾曲する。これにより、前壁板２が折曲線２ｄに沿って、図６に示すように、前壁板２の中央部が前方に膨出した状態に湾曲させられる。他方、後壁板３の下辺は前記後側フラップ７と円弧状の折曲線３ｄを介して接続されているから、製箱された紙製容器１では、該後壁板３は、図６に示すように、折曲線３ｄに沿って中央部がわずかに後方に膨出した状態に湾曲させられる。すなわち、前壁板２と後壁板３とは円弧状に湾曲した状態となって、円筒面または円錐面となり、この紙製容器１を把持した際に、手になじむ形状となる。
【００４０】
また、前壁板２の上辺２ｃは中央部が凹んだ状態の円弧状に形成されているから、図１に示すように、紙製容器１の上部は前壁側が下がって内部を容易に視認できるようになる。このため、収容された内容物の確認を容易に行うことができると共に、揚げ物食品を収容させる際に、食品や食品を保持して紙製容器１に収容させるためのトング等の器具が前壁板２の上縁部に衝突することを極力防止して、調理後の揚げ物食品を迅速にこの紙製容器１に収容させることができる。
【００４１】
前記製箱された紙製容器１に揚げ物食品を収容させると、揚げ物食品から発生する油分を含んだ蒸気は、前記開口１ａ、１ｂから排出される。このため、この油分が収容された揚げ物食品に再度付着することが極力防止され、揚げ物食品の食感を損うことが極力防止される。
【００４２】
また、紙製容器１の底板９の前後の辺部はそれぞれ円弧状をした折曲線２ｄと円弧状の折曲線３ｄに沿って折られた形状となっているため、中央部が高く、左右の側壁板４、５の側が低くなる。このため、揚げ物食品から漏れ出た油が底板９に達すると左右の側壁板４、５に向かって流れることになる。ところで、底板９は前記底部折曲線６ａで折曲されて、該底部折曲線６ａにより左右方向の谷部が形成された状態となり、谷部の左右の端部は左右の側壁板４、５の下端縁よりも下方に位置した状態となる。このため、図１と図２、図７、図８、図１０とに示すように、左右の側壁板４、５の下方には底板９との間に隙間Ｇが形成され、前記漏れ出た油は底板９の内側面を谷部に向かって流れると共に、左右に向かって流れるから、前記隙間Ｇを通って排出されることになる。
【００４３】
また、前記後側フラップ７の下部は、図１と図２、図７、図８、図１０とに示す様に、後壁板５の下端縁から斜め下方の前方を指向して伸張しており折曲可能線７ａによって折曲可能とされている。このため、この紙製容器１に揚げ物食品を収容させた状態で平面上に載置させると、収容された内容物の重量により、あるいは折曲操作によって、後側フラップ７の下部が折曲可能線７ａから折曲されて、底部折曲線６ａによる前記谷部の位置から前方に向かって平面が形成される。このため、この紙製容器１が安定した状態に姿勢が維持されて、不用意に転倒することが極力防止される。なお、揚げ物食品を収容している紙製容器１の後壁板５を保温ケースの壁面に寄りかからせた状態で載置してあれば、前記後側フラップ７の下部が前方への転倒を阻止しているから、紙製容器１をより安定させることができる。
【００４４】
以上に説明した実施形態では、舌片２４、２５、３４、３５を左右の側壁板４、５に形成した場合について説明したが、舌片は前壁板２または後壁板３に形成しても、さらに、前壁板２と後壁板３、左右の側壁板４、５との全ての壁板に形成しても構わない。全ての壁板に形成する場合には、舌片の高さを適宜に異ならせて、紙製容器１を把持するのに支障が生じないようにすることが好ましい。さらに、隣接する壁板に形成される舌片は、該舌片を形成する円弧状の切れ目を連続させて形成することで該切れ目がほぼＳ字形となって、ブランクシート１０を製作する際の治具の構造を簡素化できる。また、舌片を円弧状として説明したが、矩形や三角形その他の形状であってもよい。しかし、円弧状とする場合には、矩形や三角形のような尖鋭の部分がないから、この紙製容器１を把持した際に、手指がこの舌片に触れても痛さを感じることがない。
【産業上の利用可能性】
【００４５】
この発明に係る紙製容器によれば、収容された揚げ物食品から発生する油分を含んだ蒸気が外部に効率よく排出されるから、油分が収容されている食品に再度付着することがなく、当該食品の食感を損なうことが抑制されて、食品の販売の促進に寄与する。
【符号の説明】
【００４６】
１  紙製容器
１ａ  前側開口
１ｂ  後側開口
２  前壁板
２ａ  折曲線（側辺部）
２ｂ  折曲線（側辺部）
２ｃ  上辺
２ｄ  折曲線
２４  舌片
２４ａ  切れ目
２５  舌片
２５ａ  切れ目
３  後壁板
３ａ  折曲線（側辺部）
３ｂ  折曲線（側辺部）
３ｃ  折曲線
３ｄ  折曲線
３４  舌片
３４ａ  切れ目
３５  舌片
３５ａ  切れ目
４  左側壁板
４ａ  側部折曲線
４２  前壁側左側壁板
４３  後壁側左側壁板
５  右側壁板
５ａ  側部折曲線
６  前側フラップ
６ａ  底部折曲線
６４  切り込み部
６５  切り込み部
７  後側フラップ
７ａ  折曲可能線
７４  切り込み部
７５  切り込み部
８  蓋体フラップ
９  底板
１０  ブランクシート
１０ａ  貼着用フラップ
Ｇ  隙間
【図１】
2019151367.tif 000003
【図２】
2019151367.tif 000004
【図３】
2019151367.tif 000005
【図４】
2019151367.tif 000006
【図５】
2019151367.tif 000007
【図６】
2019151367.tif 000008
【図７】
2019151367.tif 000009
【図８】
2019151367.tif 000010
【図９】
2019151367.tif 000011
【図１０】
2019151367.tif 000012
【図１１】
2019151367.tif 000013
【図１２】
2019151367.tif 000014
【図１３】
2019151367.tif 000015
【図１４】
2019151367.tif 000016